(57)【要約】【課題】製造コストの増大を抑制し、しかも、調理排気を排気する排気抵抗の増加を抑制しながら、火炎の冷却作用を高めて、安全性を一層向上させることができる加熱調理器を提供する。【解決手段】下面部に加熱部１Ａが形成された調理用加熱体１が、加熱室２の内部に設けられ、加熱室２で発生した調理排気を上方の排気出口６ｅに向けて案内する排気路Ｒを形成する排気筒６が、加熱室２の側壁部２Ｈの上方側部に、上方に突出する姿勢で接続され、調理用加熱体１と加熱室２の天井部２ａとの間に、調理排気を排気路Ｒの下方側の流入口Ｒｉに誘導する排気誘導路１４が形成され、加熱室２の天井部２ａの上面及び排気筒６の外面に沿って冷却用空気を流動させる冷却用空気流動路が形成され、排気路Ｒを流動する調理排気を排気筒６の内面に向けて偏向させる偏向用板部Ｋが設けられている。【選択図】図４
2015064140.tif 000002
【特許請求の範囲】
【請求項１】
水平方向に沿う平板状に形成されかつ上面部と下面部とのうちの下面部のみに加熱部が形成された調理用加熱体が、直方体状の加熱室の内部の上部側に設けられ、
前記加熱室で発生した調理排気を上方の排気出口に向けて案内する排気路を形成する排気筒が、前記加熱室の４つの側壁部のうちの一つの側壁部の上方側部に、上方に突出する姿勢で接続され、
前記調理用加熱体と前記加熱室の天井部との間に、前記加熱室で発生した調理排気を前記排気路の下方側の流入口に誘導する排気誘導路が形成された加熱調理器であって、
前記加熱室の天井部の上面及び前記排気筒の外面に沿って冷却用空気を流動させる冷却用空気流動路が形成され、
前記排気路を流動する調理排気を前記排気筒の内面に向けて偏向させる偏向用板部が設けられている加熱調理器。
【請求項２】
前記排気筒が、横断面形状が４角状に形成され、
前記排気路の長手方向での位置を異ならせた複数の前記偏向用板部が、前記排気筒の対向する一対の壁部に対して交互に設置する状態で、且つ、前記壁部から片持ち状に突出する突出姿勢で設けられている請求項１に記載の加熱調理器。
【請求項３】
前記加熱室の前記排気筒が接続される前記側壁部に、前記排気誘導路に連通する延長誘導路を形成する延長筒部が、水平方向に伸びる状態で設けられ、
前記排気筒が、横断面形状が４角状に形成され且つ前記延長筒部の端部に接続され、
前記排気筒の前記加熱室に対する遠近方向に位置する一対の壁部のうちの前記加熱室の存在側に位置する加熱室存在側壁部の下端部に、前記偏向用板部としての下方側偏向用板部が、前記加熱室から離れる側で且つ下方側に向けて伸びる傾斜姿勢に片持ち状に支持された状態で設けられている請求項１記載の加熱調理器。
【請求項４】
前記排気筒の前記加熱室に対する遠近方向に位置する一対の壁部のうちの前記加熱室から離間する側に位置する加熱室離間側壁部に、前記偏向用板部としての上方側偏向用板部が、前記下方側偏向用板部よりも上方に位置させる状態で、かつ、前記加熱室に近づく側に向けて伸びる姿勢に片持ち状に支持された状態で設けられている請求項３記載の加熱調理器。
【請求項５】
前記偏向用板部が、非多孔状の板材にて形成されている請求項１〜４のいずれか１項に記載の加熱調理器。
【発明の詳細な説明】
【技術分野】
【０００１】
本発明は、水平方向に沿う平板状に形成されかつ上面部と下面部とのうちの下面部のみに加熱部が形成された調理用加熱体が、直方体状の加熱室の内部の上部側に設けられ、
前記加熱室で発生した調理排気を上方の排気出口に向けて案内する排気路を形成する排気筒が、前記加熱室の４つの側壁部のうちの一つの側壁部の上方側部に、上方に突出する姿勢で接続され、
前記調理用加熱体と前記加熱室の天井部との間に、前記加熱室で発生した調理排気を前記排気路の下方側の流入口に誘導する排気誘導路が形成された加熱調理器に関する。
【背景技術】
【０００２】
かかる加熱用調理器は、加熱室で発生した調理排気を、調理用加熱体と加熱室の天井部との間の排気誘導路を通して、排気筒の内部に形成された排気路の下方側の流入口に誘導させながら、排気筒の上部の排気出口より外部に排出させるようにしたものであり、このような加熱調理器の従来例として、調理用加熱体としてグリルバーナを設けたグリルがある（例えば、特許文献１参照。）。
【０００３】
ちなみに、特許文献１のグリルは、加熱室の４つの側壁部のうちの排気筒が接続される後方側の側壁部の上方側部に、排気誘導路に連通する延長誘導路を形成する延長筒部が、水平方向に伸びる状態で設けられ、その延長筒部の端部に、排気筒が接続されている。
つまり、特許文献１のグリルにおいては、加熱室で発生した調理排気が、排気誘導路及び延長誘導路を通して、排気経路に導かれるようい構成されている。
【０００４】
特許文献１に開示されたグリルにおいては、被調理物から流出する油分に引火する等により、万が一、加熱室の内部に火炎が発生することがあっても、この火炎が排気誘導路や延長誘導路を流動する過程において、加熱室の天井部やグリルバーナの上面部に接触して冷却されることによって、消炎されることになり、また、排気誘導路や延長誘導路を流動する過程において火炎が消火されないことがあっても、排気路を流動する過程において、排気筒に接触して冷却されることによって、消炎できるものとなる。
【０００５】
以上の通り、特許文献１に開示されたグリルにおいては、加熱室の内部に火炎が発生することがあっても、火炎を冷却する作用が大きいため、火炎が排気出口より外部に飛び出す火炎飛出し状態となることは、通常の使用状態では考えられないものであるが、安全性を一層向上させるため、火炎の冷却作用を高めることが望まれる。
【０００６】
火炎の冷却作用を高める技術として、特許文献２には、ラス網にて構成される多孔状の消炎部材を、調理排気が流動する流路中に設置する技術が開示され、また、特許文献３には、調理排気が流動する流路を、蛇行状の流路に形成する技術が開示されている。
【０００７】
したがって、特許文献２に開示された技術を特許文献１のグリルに適用して、例えば、多孔状の消炎部材を、排気路を横断する状態で設けることが考えられる（以下、第１想定従来例と呼称）。
また、特許文献３に開示された技術を特許文献１のグリルに適用して、排気誘導路又は延長誘導路に連通する蛇行状の排気通流路を設けて、その排気通流路の端部に排気筒を接続することが考えられる（以下、第２想定従来例と呼称）。
【先行技術文献】
【特許文献】
【０００８】
【特許文献１】特開２００３−１３５２８６号公報
【特許文献２】特開２００８−１９４３７２号公報
【特許文献３】特開２０００−１１１０５２号公報
【発明の概要】
【発明が解決しようとする課題】
【０００９】
第１想定従来例においては、火炎が排気路を流動することがあっても、排気路を横断する状態で設けた多孔状の消炎部材の冷却作用により、火炎を適切に冷却させて消炎させることができるものとなるが、ラス網にて構成される消炎部材が高価であるため、製造コストが増大する不都合がある。
【００１０】
第２想定従来例においては、蛇行状の排気通流路の冷却作用により、火炎が排気通流路に流れ込むことがあっても、火炎を適切に冷却させて消炎させることができるものとなるが、蛇行状の排気通流路を備えさせることによって、全体構成が複雑となるため、製造コストがかなり増大する不都合があり、しかも、蛇行状の排気通流路のために、調理排気を排気する排気抵抗が増加することに起因して、被調理物を加熱調理する加熱量を増加させ難い不都合がある。
【００１１】
本発明は、上記実情に鑑みて為されたものであって、その目的は、製造コストの増大を抑制し、しかも、調理排気を排気する排気抵抗の増加を抑制しながら、火炎の冷却作用を高めて、安全性を一層向上させることができる加熱調理器を提供する点にある。
【課題を解決するための手段】
【００１２】
本発明の加熱調理器は、水平方向に沿う平板状に形成されかつ上面部と下面部とのうちの下面部のみに加熱部が形成された調理用加熱体が、直方体状の加熱室の内部の上部側に設けられ、
前記加熱室で発生した調理排気を上方の排気出口に向けて案内する排気路を形成する排気筒が、前記加熱室の４つの側壁部のうちの一つの側壁部の上方側部に、上方に突出する姿勢で接続され、
前記調理用加熱体と前記加熱室の天井部との間に、前記加熱室で発生した調理排気を前記排気路の下方側の流入口に誘導する排気誘導路が形成されたものであって、その第１特徴構成は、
前記加熱室の天井部の上面及び前記排気筒の外面に沿って冷却用空気を流動させる冷却用空気流動路が形成され、
前記排気路を流動する調理排気を前記排気筒の内面に向けて偏向させる偏向用板部が設けられている点を特徴とする。
【００１３】
すなわち、調理排気が排気路を流動すると、排気筒が高温状態になるため、排気筒の外周部には、上昇流動する空気の流れが発生することになり、その空気流れによるドラフト作用によって、外部空気を冷却用空気として冷却用空気流動路に導入して、冷却用空気流動路を通して冷却用空気を流動させて、加熱室の天井部や排気筒を冷却できる。
【００１４】
したがって、被調理物から流出する油分に引火する等により、万が一、加熱室の内部に火炎が発生することがあっても、この火炎が排気誘導路を流動する過程において、加熱室の天井部やグリルバーナの上面部に接触して冷却されることによって、消炎されることになる。
特に、加熱室の天井部は、冷却用空気流動路を通して流動する冷却用空気によって冷却されているから、火炎の冷却作用を適切に発揮することになる。
【００１５】
また、排気誘導路を流動する過程において火炎が消火されないことがあっても、排気筒に接触して冷却されることによって、消炎できるものとなる。
特に、排気筒は、冷却用空気流動路を通して流動する冷却用空気によって冷却されているから、火炎の冷却作用を適切に発揮することになる。
【００１６】
しかも、火炎が排気路を流動する状態となると、偏向用板部によって、火炎が排気筒の内面に向けて偏向されることになるから、排気路を流動する火炎は、偏向用板部との接触や排気筒との接触により、的確に冷却されて、消炎されることになる。
【００１７】
以上の通り、冷却用空気流動路を通して冷却用空気を流動させること、及び、排気路に偏向用板部を備えることによって、火炎の冷却作用が高められているため、加熱室の内部に火炎が発生することがあっても、的確に消炎させることができる。
【００１８】
そして、冷却用空気流動路を通した冷却用空気の流動は、排気筒の外周部において上昇流動する空気の流れのドラフト作用を利用して行うことができ、また、偏向用板部は、多孔状ではない、安価な単なる板材を用いて構成できるものであるから、製造コストの増大を抑制しながら、火炎の冷却作用を高めることができる。
【００１９】
また、偏向用板部は、単に、調理排気の流れる方向を変化させるものであるから、偏向用板部の設置により、調理排気を排気する排気抵抗が大きく増加することを抑制できる。
【００２０】
要するに、本発明の第１特徴構成によれば、製造コストの増大を抑制し、しかも、調理排気を排気する排気抵抗の増加を抑制しながら、火炎の冷却作用を高めて、安全性を一層向上させることができる加熱調理器を提供できる。
【００２１】
本発明の加熱調理器の第２特徴構成は、上記第１特徴構成に加えて、
前記排気筒が、横断面形状が４角状に形成され、
前記排気路の長手方向での位置を異ならせた複数の前記偏向用板部が、前記排気筒の対向する一対の壁部に対して交互に設置する状態で、且つ、前記壁部から片持ち状に突出する突出姿勢で設けられている点を特徴とする。
【００２２】
すなわち、排気経路が、排気筒の対向する一対の壁部に交互に設置された偏向用板部の存在によって、屈曲経路状となるから、火炎が排気路を流動する状態が発生した際に、流動する火炎を蛇行状態で流動させながら、偏向用板部や排気筒に繰り返し接触させて冷却させることができるため、消炎作用を良好に発揮させることができる。
【００２３】
つまり、火炎が排気路を流動する状態が発生した際に、排気路を流動する火炎を、偏向板部や排気路の内面に繰り返し接触させながら十分に冷却することができるため、的確に消炎させることが可能となる。
【００２４】
要するに、本発明の第２特徴構成によれば、上記第１特徴構成による作用効果に加えて、排気路を流動する火炎を的確に消炎させることができる加熱調理器を提供できる。
【００２５】
本発明の加熱調理器の第３特徴構成は、上記第１特徴構成に加えて、
前記加熱室の前記排気筒が接続される前記側壁部に、前記排気誘導路に連通する延長誘導路を形成する延長筒部が、水平方向に伸びる状態で設けられ、
前記排気筒が、横断面形状が４角状に形成され且つ前記延長筒部の端部に接続され、
前記排気筒の前記加熱室に対する遠近方向に位置する一対の壁部のうちの前記加熱室の存在側に位置する加熱室存在側壁部の下端部に、前記偏向用板部としての下方側偏向用板部が、前記加熱室から離れる側で且つ下方側に向けて伸びる傾斜姿勢に片持ち状に支持された状態で設けられている点を特徴とする。
【００２６】
すなわち、火炎が排気誘導路を流動するときに、消炎されないことがあっても、延長誘導路を火炎が流動するときに、火炎を延長筒部との接触により冷却して、消炎させることが可能となる。
【００２７】
そして、火炎が延長誘導路を流動するときに消炎されずに、火炎が延長筒部から排気筒の内部に流動する状態が発生した際に、下方側偏向用板部の偏向作用によって、火炎が延長筒部の底面や排気筒の内面に接触しながら流動するため、延長筒部の底面による冷却作用及び排気筒の内面による冷却作用を発揮させて、消炎させることが可能となる。
【００２８】
つまり、火炎が排気誘導路を流動するときに、消炎されないことがあっても、延長誘導路を火炎が流動するときに、消炎させることが可能となり、さらには、火炎が延長誘導路を流動するときに消炎されずに、火炎が延長筒部から排気筒の内部に流動する状態が発生した際に、延長筒部の底面による冷却作用及び排気筒の内面による冷却作用を的確に発揮させて、消炎させることが可能となるのであり、消炎機能を向上させることができる。
【００２９】
要するに、本発明の第３特徴構成によれば、上記第１特徴構成による作用効果に加えて、消炎機能を向上させることができる加熱調理器を提供できる。
【００３０】
本発明の加熱調理器の第４特徴構成は、上記第３特徴構成に加えて、
前記排気筒の前記加熱室に対する遠近方向に位置する一対の壁部のうちの前記加熱室から離間する側に位置する加熱室離間側壁部に、前記偏向用板部としての上方側偏向用板部が、前記下方側偏向用板部よりも上方に位置させる状態で、かつ、前記加熱室に近づく側に向けて伸びる姿勢に片持ち状に支持された状態で設けられている点を特徴とする。
【００３１】
すなわち、排気経路が、下方側偏向用板部と上方側偏向用板部との存在によって、屈曲経路状となるから、火炎が排気路を流動する状態が発生した際に、流動する火炎を、蛇行状態で流動させながら、下方側偏向用板部と上方側偏向用板部とに接触させ、かつ、排気筒に繰り返し接触させて冷却させることができるため、消炎作用を良好に発揮させることができる。
【００３２】
つまり、火炎が排気路を流動する状態が発生した際に、排気路を流動する火炎を、下方側偏向用板部と上方側偏向用板部とに接触させ、かつ、排気路の内面に繰り返し接触させながら十分に冷却することができるため、的確に消炎させることが可能となる。
【００３３】
要するに、本発明の第４特徴構成によれば、上記第３特徴構成による作用効果に加えて、排気路を流動する火炎を一層的確に消炎させることができる加熱調理器を提供できる。
【００３４】
本発明の加熱調理器の第５特徴構成は、上記第１〜第４特徴構成のいずれかに加えて、
前記偏向用板部が、非多孔状の板材にて形成されている点を特徴とする。
尚、非多孔状とは、複数の孔が形成されている状態や全く孔が形成されていない状態を意味するものである。
【００３５】
すなわち、非多孔状の板材は、多孔状の板材に較べて、安価に製作できるものであるから、偏向用板部を安価に製作できるものとなるのであり、火炎の冷却作用を高めるために偏向用板部の設置することを、製造コストの低減を図る形態で行うことができる。
【００３６】
要するに、本発明の第５特徴構成によれば、上記第１〜第４特徴構成による作用効果に加えて、火炎の冷却作用を高めるために偏向用板部の設置することを、製造コストの低減を図る形態で行うことができる加熱調理器を提供できる。
【図面の簡単な説明】
【００３７】
【図１】システムキッチンに装着されるガスコンロの概略斜視図
【図２】ガスコンロの一部切欠き側面図
【図３】グリルの分解斜視図
【図４】グリルの縦断側面図
【図５】グリルの縦断正面図
【図６】グリル庫の横断平面図
【図７】グリルの要部の縦断正面図
【発明を実施するための形態】
【００３８】
〔実施形態〕
次に、本発明の実施形態を図面に基づいて説明する。
（ガスコンロの全体構成）
図１に示すように、例示するガスコンロは、３つのコンロバーナＡ１及び加熱調理器としてのグリルＡ２を備えるコンロ本体Ａが、システムキッチンＳＫのカウンタトップに形成されたコンロ装着口Ｂ１に装着されるビルトイン式ガスコンロとして構成されている。
【００３９】
すなわち、コンロ本体Ａをコンロ装着口Ｂ１に上方側から挿入することにより、コンロ本体Ａの外周縁部の係止鍔Ｄ（図２参照）がコンロ装着口Ｂ１の内周縁部に係止保持されることによって、コンロ本体ＡがシステムキッチンＳＫに装着されるように構成されている。
また、コンロ本体ＡがシステムキッチンＳＫに装着された状態において、コンロ本体Ａの前面操作部Ｃが、システムキッチンＳＫの前側面に形成された操作用開口Ｂ２から外部に臨む状態となるように構成されている。
【００４０】
図１及び図２に示すように、３つのコンロバーナＡ１が、コンロ本体Ａの上部に設けたトッププレートＦの上方に露出する状態で設けられ、トッププレートＦの上部には、鍋などの被加熱対象物を載置する五徳Ｇが設けられている。
ちなみに、トッププレートＦは、コンロ本体Ａの上部をほぼ全面的に覆う１枚板構造であり、清掃等のために上方側に取り外し可能に設けられている。
【００４１】
図２に示すように、グリルＡ２が、トッププレートＦの下方に配置され、トッププレートＦの後方側箇所には、グリルＡ２から排出される調理排気を排出するためのグリル排気口Ｅが形成されており、グリルＡ２から排出される調理排気が、グリル排気口Ｅを通してトッププレートＦの上方に排出されるように構成されている。
【００４２】
（グリルの全体構成）
図３〜図５に示すように、グリルＡ２には、直方体状の加熱室としてのグリル庫２が設けられている。
グリル庫２の内部の上部側には、魚などの被調理物３を加熱する調理用加熱体としてのグリルバーナ１が設けられ、グリル庫２の内部の下部側には、被調理物３を載置するための焼き網４が、汁受皿５の上方に配置させる状態で設けられている。
【００４３】
グリルバーナ１は、図３及び図４に示すように、水平方向に沿う平板状に形成され、かつ、上面部と下面部とのうちの下面部のみを加熱部としての燃焼部１Ａに形成する状態に構成されている。
そして、グリルバーナ１の後端部には、横外方に突出する状態でガス導入部１Ｂが装備されて、ガス導入部１Ｂから導入された燃料ガスを燃焼部１Ａにて燃焼するように構成されている。
【００４４】
ちなみに、グリルバーナ１は、ガス導入部１Ｂに燃料ガスが導入されるのに伴ってエジェクタ作用によりガス導入部１Ｂに導入される一次空気、及び、グリル庫２の内部の後述する加熱空間９（図４参照）から供給される二次空気を用いて、燃料ガスを燃焼部１Ａにて燃焼させることになる。
【００４５】
図２及び図４に示すように、グリルバーナ１の燃焼排ガスや被調理物３から発生する燃焼ガス等の調理排気をグリル庫２から排気する排気筒６が、グリル庫２の後方側箇所に設けられている。
説明を加えると、排気筒６が、グリル庫２の４つの側壁部２Ｈのうちの一つである後方側の側壁部２Ｈを形成する後面部２ｄの上方側部に、上方に突出する姿勢で接続されている。
ちなみに、本実施形態においては、後述の如く、後面部２ｄには、延長筒部２Ｔが水平方向に沿って後方に伸びる状態で設けられ、排気筒６が、延長筒部２Ｔの端部に接続されている。
【００４６】
排気筒６は、横断面形状が４角状に形成されて、その内部に、調理排気を上方の排気出口６ｅに案内する排気路Ｒを形成するように構成されている。
そして、排気筒６の排気出口６ｅが、グリル排気口Ｅの内部に位置するように構成されている（図２参照）。
ちなみに、グリル排気口Ｅの内周縁と排気筒６の上端部の外周面との間には、排気筒６が高温になった状態において、排気筒６の外周部に発生する空気の上昇流Ｊ（図２参照）を流動させる隙間が形成されている。
【００４７】
汁受皿５は、焼き網４を載置した状態で、グリル庫２に対して出退移動可能に構成されて、グリル庫２の内部に引退した収納状態とグリル庫２の外部に突出した突出状態とに切換え自在に構成されている。
汁受皿５の前面部には、収納状態において、グリル庫２の前面部を閉塞する扉部７が設けられている（図３参照）。
【００４８】
ちなみに、グリル庫２の４つの側壁部２Ｈとは、上述の後面部２ｄ、グリル庫２の左右両側の側壁部２Ｈを形成する左右一対の横側面部２ｃ、及び、グリル庫２の前方側の側壁部２Ｈを形成する扉部７である。
【００４９】
（グリルの空気導入構成）
図４及び図５に示すように、汁受皿５がグリル庫２に収納された収納状態において、汁受皿５の底面部とグリル庫２の底面部２ｂとの間に冷却空気流動空間８が形成され、汁受皿５の上面部とグリルバーナ１との間に加熱空間９が形成されるように構成されている。
【００５０】
図４〜図６に示すように、グリル庫２の底面部２ｂにおける中央側箇所に、冷却空気流動空間８に外部の空気を導入するため空気導入部１０が設けられている。
この空気導入部１０は、グリル庫２の底面部２ｂに多数の空気導入孔部１０ａを形成することによって構成されている。
【００５１】
図５〜図７に示すように、グリル庫２の両横側面部２ｃの夫々には、冷却空気流動空間８を流動した空気を、グリル庫２の横側面部２ｃに沿って上昇させたのち、加熱空間９に導入する空気流動通路１１が設けられている。
【００５２】
説明を加えると、図５〜図７に示すように、グリル庫２の両横側面部２ｃの夫々における前後方向の中央側箇所には、横外方側に膨出する膨出部１２が、グリル庫２の前後方向に長尺状となる状態で形成されている。
膨出部１２よりも内方側でかつ膨出部１２の上下方向の中間部分に対応する箇所に、前後幅が膨出部１２よりも長い板状の空気案内体１３が、前後両端部をグリル庫２の横側面部２ｃにおける膨出部１２を外れた箇所に接続した状態で設けられている。
【００５３】
そして、膨出部１２と板状の空気案内体１３との間に、上下方向に沿う姿勢のダクト状部１１ａが形成されることになる。
このダクト状部１１ａは、下端部を冷却空気流動空間８に連通し、かつ、上端部を加熱空間９における焼き網４よりも上方側の空間に連通する形態となり、ダクト状部１１ａの内部が、空気流動通路１１として機能するように構成されている。
【００５４】
尚、ダクト状部１１ａの上端部を、加熱空間９における焼き網４よりも上方側の空間に連通させるようにすることにより、空気流動通路１１を流動する空気が被調理物３に直接当たることを抑制している。
【００５５】
図３、図５〜図７に示すように、空気案内体１３の下方側部分に、汁受皿５を載置支持する載置支持部１３ａが、空気案内体１３を屈曲形成する状態で設けられている。
そして、この載置支持部１３ａにて汁受皿５を載置支持することにより、汁受皿５の底面部とグリル庫２の底面部との間に冷却空気流動空間８が形成されている。
【００５６】
したがって、グリルバーナ１が燃焼を開始すると、空気導入部１０を通して冷却空気流動空間８に外気が導入され、導入された空気が、空気流動通路１１を通して加熱空間９に導入され、加熱空間９に導入された空気が、グリルバーナ１の燃焼用二次空気として作用することになる。
ちなみに、外気の導入は、グリルバーナ１が燃焼することにより生じるドラフト作用を利用して行われることになり、その詳細は後述する。
【００５７】
（グリルの調理排気流動構成）
図５に示すように、グリルバーナ１の横幅が、グリル庫２の横幅より狭く形成されて、グリルバーナ１の両横側箇所に、加熱空間９からの調理排気を上方側に流動させる通路が形成されている。
図４に示すように、グリルバーナ１の前後幅が、グリル庫２の前後幅より狭く形成されて、グリルバーナ１の前方側箇所に、加熱空間９からの調理排気を上方側に流動させる通路が形成されている。
【００５８】
グリルバーナ１が、グリルバーナ１とグリル庫２の天井部２ａとの間に間隔を形成する状態で、逆Ｕ字の支持具１ａにて天井部２ａに吊下げ支持されて、グリルバーナ１とグリル庫２の天井部２ａとの間に、グリル庫２で発生した調理排気を排気筒６の内部の排気路Ｒの下方側の流入口Ｒｉに誘導する排気誘導路１４が形成されている。
【００５９】
本実施形態においては、上述の如く、延長筒部２Ｔが、グリル庫２の後面部２ｄの上方側部に、水平方向に沿って後方に伸びる状態で設けられ、その延長筒部２Ｔの内部に、排気誘導路１４に連通する延長誘導路１４Ｔが形成され、排気筒６が、延長筒部２Ｔの端部に接続されている。
【００６０】
延長筒部２Ｔは、グリル庫２の後面部２ｄの上方側部分を後方側に屈曲させる形態で延出し、その延出部分の上方側を、グリル庫２の天井部２ａを後方側に延出した延出部分にて覆う形態で構成されている。
つまり、グリル庫２の天井部２ａを形成する部材が、図５に示すように、横断面形状が逆Ｕ字状に湾曲した部材であり、グリル庫２の後面部２ｄの上方側部分を後方側に延出した部分の上部に、グリル庫２の天井部２ａを後方側に延出した延出部分を接続することによって、延長筒部２Ｔが形成されている。
【００６１】
したがって、グリル庫２の加熱空間９にて発生した調理排気が、グリルバーナ１の両横側箇所の通路や前方側箇所の通路を通して排気誘導路１４に流動し、排気誘導路１４に流動した調理排気が、排気誘導路１４及び延長誘導路１４Ｔにて誘導されて、排気筒６の内部の排気路Ｒの下方側の流入口Ｒｉに流動し、その後、上述の如く、グリル排気口Ｅより外部に排出されることになり、この調理排気の排出に伴って、上述の如く、外気が導入されるように構成されている。
【００６２】
すなわち、グリルバーナ１が燃焼すると、加熱空間９にて発生した調理排気が、排気誘導路１４、延長誘導路１４Ｔ及び排気路Ｒを通して流動して、グリル排気口Ｅを通してトッププレートＦの上方に排出されることになり、このような調理排気の流動により、ドラフト力が発生して、グリル庫２の底面部２ｂの空気導入部１０から冷却空気流動空間８に外気が導入され、その導入された空気が、冷却空気流動空間８の内部をグリル庫２の両横側面部２ｃに向って流動したのち、グリル庫２の横側面部２ｃの空気流動通路１１を通して加熱空間９に流動されることになる。
【００６３】
ちなみに、本実施形態においては、図３及び図４に示すように、グリル庫２の底面部２ｂの前端部分には、その前端部分のうち、グリル庫２の横幅方向の中間部分を切り欠いた切欠部１５が設けられ、この切欠部１５を通しても、冷却空気流動空間８に外気が導入されるように構成されている。
【００６４】
（グリルの冷却構成）
図２に示すように、コンロ本体Ａの前面壁におけるグリルＡ２の上方箇所に、外気導入口１６が形成され、この外気導入口１６から導入された冷却用空気が、グリル庫２の上部に沿う状態に形成された冷却用空気流動路Ｑを通して、グリル庫２の天井部２ａの上面及び排気筒６の外面に沿って流動して、グリル排気口Ｅから排出されるように構成されている。
【００６５】
すなわち、グリル庫２の調理排気が排気路Ｒを通して流動すると、排気筒６が高温状態に加熱されて、排気筒６の外周部の空気が上方側に流動する上昇流Ｊが発生することになり、その上昇流Ｊによる吸引作用により、外気導入口１６から外気が導入され、導入された冷却用空気が、グリル庫２の天井部２ａの上面及び排気筒６の外面に沿って流動して、グリル庫２の天井部２ａや排気筒６を冷却するように構成されている。
【００６６】
ちなみに、上昇流Ｊに沿って流動する空気は、上述の如く、グリル排気口Ｅの内周縁と排気筒６の上端部の外周面との間の隙間を通して流動して、トッププレートＦの上方側箇所に排出されることになる。
【００６７】
（グリルの消炎用構成）
図４に示すように、排気路Ｒを流動する調理排気を排気筒６の内面に向けて偏向させる偏向用板部Ｋが設けられている。
この偏向用板部Ｋは、非多孔状の板材にて形成されるものであって、本実施形態においては、排気路Ｒの長手方向での位置を異ならせた２個の偏向用板部Ｋが、排気筒６の対向する一対の壁部６Ｈに対して交互に設置する状態で、且つ、壁部６Ｈから片持ち状に突出する突出姿勢で設けられている。
【００６８】
具体的には、排気筒６のグリル庫２に対する遠近方向に位置する一対の壁部６Ｈのうちのグリル庫２の存在側に位置する加熱室存在側壁部６ｆの下端部に、偏向用板部Ｋとしての下方側偏向用板部１７が、グリル庫２から離れる側で且つ下方側に向けて伸びる傾斜姿勢に片持ち状に支持された状態で設けられている。
【００６９】
また、排気筒６のグリル庫２に対する遠近方向に位置する一対の壁部６Ｈのうちのグリル庫２から離間する側に位置する加熱室離間側壁部６ｒに、偏向用板部Ｋとしての上方側偏向用板部１８が、下方側偏向用板部１７よりも上方に位置させる状態で、かつ、グリル庫２に近づく側に向けて伸びる姿勢に片持ち状に支持された状態で設けられている。
【００７０】
ちなみに、下方側偏向用板部１７及び上方側偏向用板部１８の排気路Ｒの横幅方向に相当する長さが、本実施形態では、排気路Ｒの横幅の全幅に亘る長さとなるものであるが、排気路Ｒの横幅よりも少し短い長さとする形態で実施してもよい。
また、下方側偏向用板部１７及び上方側偏向用板部１８の排気路Ｒの前後幅方向に相当する突出長さは、本実施形態においては、排気路Ｒの前後幅の半分程度の長さであるが、この長さよりも長くする形態や短くする形態で実施してもよい。
【００７１】
したがって、グリル庫２の内部の被調理物３から流出する油分に引火する等により、万が一、グリル庫２の内部に火炎が発生することがあっても、この火炎が排気誘導路１４や延長誘導路１４Ｔを流動する過程において、グリル庫２の天井部２ａやグリルバーナ１の上面部に接触して冷却されることによって、消炎されることになる。
特に、グリル庫２の天井部２ａは、冷却用空気流動路Ｑを通して流動する冷却用空気によって冷却されているから、火炎の冷却作用を適切に発揮することになる。
【００７２】
また、排気誘導路１４及び延長誘導路１４Ｔを流動する過程において火炎が消火されないことがあっても、火炎が排気路Ｒを流動する過程において排気筒６に接触して冷却されて、消炎されることになる。
特に、排気筒６は、冷却用空気流動路Ｑを通して流動する冷却用空気によって冷却されているから、火炎の冷却作用を適切に発揮することになる。
【００７３】
しかも、火炎が排気路Ｒを流動する状態となると、偏向用板部Ｋによって、火炎が排気筒６の内面に向けて偏向されることになるから、排気路Ｒを流動する火炎は、偏向用板部Ｋとの接触や排気筒６との接触により、的確に冷却されて、消炎されることになる。
【００７４】
そして、本実施形態によれば、下方側偏向用板部１７と上方側偏向用板部１８とによって、排気路Ｒが火炎を蛇行状態で流動させる屈曲経路状となっている、火炎を下方側偏向用板部１７と上方側偏向用板部１８とに接触させ、加えて、火炎を排気筒６に繰り返し接触させて、消炎作用を良好に発揮させることができる。
【００７５】
さらには、下方側偏向用板部１７が、排気筒６の加熱室存在側壁部６ｆの下端部に、グリル庫２から離れる側で且つ下方側に向けて伸びる傾斜姿勢に片持ち状に支持された状態で設けられているから、延長誘導路１４Ｔから排気路Ｒに流動する火炎を、延長筒部２Ｔの下面や排気筒６の加熱室離間側壁部６ｒの内面に接触させて、消炎作用を良好に発揮させることができる。
【００７６】
〔別実施形態〕
次に、別実施形態を列記する。
（１）上記実施形態においては、排気筒６の対向する一対の壁部６Ｈに交互に設置する偏向用板部Ｋとして、２個の偏向用板部Ｋを設置する場合を例示したが、３個以上の偏向用板部Ｋを、排気筒６の対向する一対の壁部６Ｈに交互に設置する形態で実施してもよい。
また、例えば、下方側偏向用板部１７と上方側偏向用板部１８とのうちの下方側偏向板部１７のみを設置する等、１個の偏向用板部Ｋを排気筒６の壁部６Ｈに設置する形態で実施してもよい。
【００７７】
（２）上記実施形態においては、排気筒６の対向する一対の壁部６Ｈとして、排気筒６のグリル庫２に対する遠近方向に位置する一対の壁部６Ｈ、つまり、加熱室存在側壁部６ｆと加熱室離間側壁部６ｒとに、偏向用板部Ｋを設置する場合を例示したが、排気筒６の対向する一対の壁部６Ｈとして、排気筒６の横幅方向に位置する一対の壁部６Ｈに、偏向用板部Ｋを設置するようにしてもよい。
【００７８】
また、排気筒６の対向する一対の壁部６Ｈとして、排気筒６のグリル庫２に対する遠近方向に位置する一対の壁部６Ｈ、及び、排気筒６の横幅方向に位置する一対の壁部６Ｈの夫々に、偏向用板部Ｋを設置するようにしてもよい。
この場合には、全ての偏向用板部Ｋを、排気路Ｒの長手方向での位置を異ならせて設置することは勿論である。
【００７９】
（３）上記実施形態においては、偏向用板部Ｋが、全く孔が形成されていない板材にて形成される場合を例示したが、例えば、排気筒６の壁部６Ｈに片持ち状に支持されている偏向用板部Ｋの壁部６Ｈに近接する箇所に、排気路Ｒを流動する火炎を通過させるための火炎通過用の複数の孔を形成するようにしてもよい。
【００８０】
この構成の場合、排気路Ｒを流動する火炎の一部が偏向用板部Ｋによって偏向されずに火炎通過用の複数の孔を通過することになるから、偏向用板部Ｋによって排気筒６の内面に向けて偏向される火炎の量を減少させることができるため、偏向用板部Ｋが支持される側の排気筒６の壁部６Ｈの温度上昇と、偏向用板部Ｋが支持される側と対向する側の排気筒６の壁部６Ｈの温度上昇とのバランス調節が可能となる利点がある。
【００８１】
（４）上記実施形態においては、延長誘導路１４Ｔを形成する延長筒部２Ｔを設けて、偏向用板部Ｋとして、下方側偏向用板部１７及び上方側偏向用板部１８を設置する場合を例示したが、延長筒部２Ｔを省略する形態で実施してもよい。
【００８２】
（５）上記実施形態においては、排気筒６を、加熱室としてのグリル庫２の４つの側壁部２Ｈのうち、後方側の側壁部２Ｈに対応する後面部２ｄに接続する場合を例示したが、例えば、グリル庫２の４つの側壁部２Ｈのうち、左右いずれかの側壁部２Ｈに対応する横側面部２ｃに接続する形態で実施してもよい。
【００８３】
（６）上記実施形態においては、加熱調理器としてのグリルＡ２を、ガスコンロに装備する場合を例示したが、単独のグリル装置として形成する形態で実施してもよい。
【００８４】
（７）上記実施形態においては、調理用加熱体として、グリルバーナ１を備える場合を例示したが、調理用加熱体として、電気ヒータを装備する形態で実施してもよい。
【符号の説明】
【００８５】
１      調理用加熱体
１Ａ    加熱部
２      加熱室
２ａ    天井部
２Ｈ    側壁部
２Ｔ    延長部
６      排気筒
６Ｈ    壁部
６ｅ    排気出口
６ｆ    加熱室存在側壁部
６ｒ    加熱室離間側壁部
１４    排気誘導路
１４Ｔ  延長誘導路
１７    下方側偏向用板部
１８    上方側偏向用板部
Ｋ      偏向用板部
Ｒ      排気路
Ｒｉ    流入口
【図１】
2015064140.tif 000003
【図２】
2015064140.tif 000004
【図３】
2015064140.tif 000005
【図４】
2015064140.tif 000006
【図５】
2015064140.tif 000007
【図６】
2015064140.tif 000008
【図７】
2015064140.tif 000009